(57)【特許請求の範囲】
【請求項１】
ディスプレイを備えるディスプレイ筐体と、
キーボードキー及びダイヤルキーを備えるキー筐体と、
前記ディスプレイ筐体と前記キー筐体とを、スライド可能且つ折り畳み可能に連結するヒンジと、を有する携帯端末装置において、
該携帯端末装置が開かれた状態で前記ディスプレイを見られる側に向く前記キー筐体の第一面に前記キーボードキーが配され、該キー筐体の、第一面とは反対の第二面に前記ダイヤルキーが配されており、
前記キー筐体の第二面と、前記ディスプレイ筐体の、前記ディスプレイが配されている側の第一面とは反対の第二面とが相対する第一状態と、前記キー筐体の第一面と、前記ディスプレイ筐体の第一面とが相対する第二状態とに、前記キー筐体と前記ディスプレイ筐体が折り畳み可能であることを特徴とする携帯端末装置。
【請求項２】
ディスプレイを備えるディスプレイ筐体と、
キーボードキー及びダイヤルキーを備えるキー筐体と、
前記ディスプレイ筐体と前記キー筐体とを、スライド可能且つ折り畳み可能に連結するヒンジと、を有する携帯端末装置において、
該携帯端末装置が開かれた状態で前記ディスプレイを見られる側に向く前記キー筐体の第一面に前記キーボードキーが配され、該キー筐体の、第一面とは反対の第二面に前記ダイヤルキーが配されており、
前記ディスプレイ筐体が開かれたときにスライドを防止するリブが、前記ヒンジに設けられていることを特徴とする携帯端末装置。
【請求項３】
ディスプレイを備えるディスプレイ筐体と、
キーボードキー及びダイヤルキーを備えるキー筐体と、
前記ディスプレイ筐体と前記キー筐体とを、スライド可能且つ折り畳み可能に連結するヒンジと、を有する携帯端末装置において、
該携帯端末装置が開かれた状態で前記ディスプレイを見られる側に向く前記キー筐体の第一面に前記キーボードキーが配され、該キー筐体の、第一面とは反対の第二面に前記ダイヤルキーが配されており、
前記ディスプレイ筐体が開かれたときに、前記ディスプレイ筐体の回転領域を制限する面が、前記キー筐体に設けられていることを特徴とする携帯端末装置。
【請求項４】
ディスプレイを備えるディスプレイ筐体と、
キーボードキー及びダイヤルキーを備えるキー筐体と、
前記ディスプレイ筐体と前記キー筐体とを、スライド可能且つ折り畳み可能に連結するヒンジと、を有する携帯端末装置において、
該携帯端末装置が開かれた状態で前記ディスプレイを見られる側に向く前記キー筐体の第一面に前記キーボードキーが配され、該キー筐体の、第一面とは反対の第二面に前記ダイヤルキーが配されており、
前記ディスプレイ筐体が開かれたときに、前記キー筐体の前記第二面から前記ヒンジが突出していることを特徴とする携帯端末装置。
【請求項５】
前記ディスプレイ筐体が開かれたときに、前記ディスプレイ筐体の回転領域を制限する面が、前記キー筐体に設けられていることを特徴とする請求項４に記載の携帯端末装置。
【請求項６】
前記ディスプレイ筐体が開かれたときにスライドを防止するリブが、前記ヒンジに設けられていることを特徴とする請求項３ないし５のいずれか１項に記載の携帯端末装置。
【請求項７】
前記キー筐体の第二面と、前記ディスプレイ筐体の、前記ディスプレイが配されている側の第一面とは反対の第二面とが相対する第一状態と、前記キー筐体の第一面と、前記ディスプレイ筐体の第一面とが相対する第二状態とに、前記キー筐体と前記ディスプレイ筐体が折り畳み可能であることを特徴とする請求項２ないし６のいずれか１項に記載の携帯端末装置。
【請求項８】
前記キー筐体の第二面において、前記ダイヤルキーの配置領域以外に、電力を供給するための電池格納部材をさらに有することを特徴とする請求項１ないし７のいずれか１項に記載の携帯端末装置。
【請求項９】
電力を供給するための電池格納部材をさらに備え、
前記第一状態にしつつ前記ディスプレイ筐体が前記キー筐体に対して最大限にスライドした状態で該ディスプレイ筐体に覆われる前記キー筐体の被覆面に、前記電池格納部材が配されていることを特徴とする請求項１または７に記載の携帯端末装置。
【請求項１０】
前記ディスプレイ筐体又は前記キー筐体に、前記ディスプレイ筐体のスライドを抑制する固定具がさらに設けられ、該固定具は、力が加えられるとスライドの抑制が解除される構造を有していることを特徴とする請求項１ないし９のいずれか１項に記載の携帯端末装置。
【請求項１１】
前記固定具が磁石で形成されていることを特徴とする請求項１０に記載の携帯端末装置。
【請求項１２】
前記固定具に加えられる力の受け部が、前記ディスプレイ筐体に設けられていることを特徴とする請求項１０または１１に記載の携帯端末装置。
【請求項１３】
前記受け部が、使用者の指に合う溝状であることを特徴とする請求項１２に記載の携帯端末装置。
【請求項１４】
前記受け部が、使用者の指が滑らないグリップで構成されていることを特徴とする請求項１２に記載の携帯端末装置。
【請求項１５】
前記ディスプレイ筐体がスライドを開始したときに開かれるのを抑止する固定具が、前記ディスプレイ筐体又は前記キー筐体に具備されていることを特徴とする請求項１ないし１４のいずれか１項に記載の携帯端末装置。
【発明の詳細な説明】
【技術分野】
【０００１】
本発明は、画像表示部及びキー操作部を備えた携帯端末装置に関する。詳しくは、携帯端末装置の構造及び画像表示部並びにキー操作部の配置に関する。
【背景技術】
【０００２】
近年、携帯電話機をはじめとする携帯端末装置では、付属機能の高度化に伴い、通話や電子メールだけでなく、テレビ映像の出力、インターネットサイトの閲覧や検索、ゲーム用途での使用といったようなものが望まれている。
【０００３】
従来の携帯端末装置の主要な用途であった通話や電子メールでは、画像を表示するために広い面積のディスプレイは必要ではなく、文字の入力もテンキーを主として構成されたダイヤルキーで十分であった。そのため、携帯端末装置の筐体の１つの面にディスプレイ及びダイヤルキーを配置することが可能であった。
【０００４】
しかしながら、テレビ映像を快適に見るためには、更なる大きさのディスプレイを必要としていた。また、煩雑な操作を必要とするインターネットサイトの閲覧や検索では、従来のダイヤルキーでは十分な操作性を有しているとは言えず、パソコンの操作に用いるようなキーボードキーやタッチパネルといった広い面積を必要とする操作部が要望されていた。
【０００５】
携帯端末装置は小型で持ち運びに便利なことが一つの特徴である。したがって、携帯端末装置を大型化することなく、前述のディスプレイの大型化や、キーボードキーやタッチパネルの設置が求められている。
【０００６】
そのため、近年では様々な構造を有した携帯端末装置が創出されている。ディスプレイを具備するディスプレイ筐体と、ダイヤルキーなどの操作部を具備するキー筐体とで構成する携帯端末装置が登場している。ディスプレイとダイヤルキーを異なる筐体に設けることによって、ディスプレイの大型化を達成している。
【０００７】
また、携帯端末装置を持ち運ぶ際には、ディスプレイ筐体とキー筐体とを重ね合わせることによって、携帯端末装置のコンパクト性を維持している。各々の筐体を重ね合わせる方式として、筐体をスライドさせる方式（スライド方式）と、各々の筐体をヒンジで接続し折り畳む方式（折り畳み方式）が一般的である。
【０００８】
しかし、ディスプレイの大型化は図ることが出来たが、キーボードキーの具備には至っていない。
【０００９】
そこで、特許文献１では、２つの筐体を開いたときに、ディスプレイとキーボードキーとが現れる構造を開示している。図８（ａ）は特許文献１で開示されている携帯端末装置が折り畳まれているときの斜視図であり、図８（ｂ）は携帯端末装置が開かれているときの斜視図である。第１の筐体１５と第２の筐体１６とを開いたときに形成される面の一部にキーボードキー１１を配置している（図８（ｂ））。第２の筐体１６のキーボードキー１１が配置されていない部分にはディスプレイ５を設け、第１の筐体１５のキーボードキー１１が配置されていない部分には窓１７を設けている。したがって、携帯端末装置を折り畳んだときには、第２の筐体１６に設けられたディスプレイ５を窓１７から見ることができる（図８（ａ））。また、第１の筐体１５の、キーボードキー１１が具備されている面の反対の面にはダイヤルキー８が具備されているため、携帯端末装置を折り畳んだ状態では従来の通話用途として用いることが出来る。
【００１０】
さらに、特許文献２では、スライド方式と折り畳み方式を組み合わせ、スライドしたときに現れるキーボードキーの一部をダイヤルキーとして活用する構造が開示されている。図９（ａ）は特許文献２で開示されている携帯端末装置が折り畳まれているときの斜視図であり、図９（ｂ）は携帯端末装置がスライドされているときの斜視図であり、図９（ｃ）は携帯端末装置が開かれているときの斜視図である。キー筐体３にキーボードキー１１が具備されており、ディスプレイ筐体２をスライドさせることによって現れたキーボードキー１１の一部を、ダイヤルキーとして扱う（図９（ｂ））。また、ディスプレイ筐体２を開くことによって、キーボードキー１１の全部が現れる（図９（ｃ））。ディスプレイ筐体２の、キー筐体３に接していた面の全域にディスプレイ５を配置しているため、ディスプレイ筐体２を開いたときには広面積を有したディスプレイ５を見ることができる。
【先行技術文献】
【特許文献】
【００１１】
【特許文献１】特表２００１−５０３１７２号公報
【特許文献２】特開２００７−１１６７０９号公報
【発明の概要】
【発明が解決しようとする課題】
【００１２】
しかしながら、図８で示す、特許文献１のように、窓１７を第１の筐体１５の一部に設けると、携帯端末装置の筐体の最大面を利用した広いディスプレイを配置することが出来ない。第１の筐体１５の窓１７の代わりにディスプレイ５を拡大することも出来るが、携帯端末装置が折り畳まれたときにディスプレイ５の確認が出来なくなる。すなわち、ダイヤルキー８を操作するときにディスプレイ５が確認できなくなるため、利便性を損なう虞がある。
【００１３】
ダイヤルキー８が具備されている面に新たなディスプレイを具備することによって、利便性は高められるが、１つの携帯端末装置に２つのディスプレイを設けることになるため、コストアップする虞がある。
【００１４】
特許文献２においても、ディスプレイ筐体２を折り畳んだ状態又はスライドさせた状態で確認することが出来るディスプレイと、ディスプレイ筐体２を開いた状態で確認することが出来るディスプレイとが必要である。１つの携帯端末装置に２つのディスプレイが設けられているため、コストアップとなる可能性がある。
【００１５】
そこで、本発明は、筐体同士がスライド可能且つ折り畳み可能な携帯端末装置であって、１つのディスプレイで、ダイヤルキーを用いた通話及び電子メールの操作と、キーボードキーを用いたインターネットサイトの閲覧及び検索の操作とを可能にする携帯端末装置を提供することを目的とする。
【課題を解決するための手段】
【００１６】
上記目的を達成するために、本発明の一態様は、ディスプレイを備えるディスプレイ筐体と、キーボードキー及びダイヤルキーを備えるキー筐体と、ディスプレイ筐体とキー筐体とを、スライド可能且つ折り畳み可能に連結するヒンジと、を有する携帯端末装置において、該携帯端末装置が開かれた状態でディスプレイを見られる側に向くキー筐体の第一面にキーボードキーが配され、該キー筐体の、第一面とは反対の第二面にダイヤルキーが配されており、キー筐体の第二面と、ディスプレイ筐体の、ディスプレイが配されている側の第一面とは反対の第二面とが相対する第一状態と、キー筐体の第一面と、ディスプレイ筐体の第一面とが相対する第二状態とに、キー筐体とディスプレイ筐体が折り畳み可能であることを特徴とする。
本発明の他の態様は、ディスプレイを備えるディスプレイ筐体と、キーボードキー及びダイヤルキーを備えるキー筐体と、ディスプレイ筐体とキー筐体とを、スライド可能且つ折り畳み可能に連結するヒンジと、を有する携帯端末装置において、該携帯端末装置が開かれた状態でディスプレイを見られる側に向くキー筐体の第一面にキーボードキーが配され、該キー筐体の、第一面とは反対の第二面にダイヤルキーが配されており、ディスプレイ筐体を開いたときにスライドを防止するリブが、ヒンジに設けられていることを特徴とする。
本発明の他の態様は、ディスプレイを備えるディスプレイ筐体と、キーボードキー及びダイヤルキーを備えるキー筐体と、ディスプレイ筐体とキー筐体とを、スライド可能且つ折り畳み可能に連結するヒンジと、を有する携帯端末装置において、該携帯端末装置が開かれた状態でディスプレイを見られる側に向くキー筐体の第一面にキーボードキーが配され、該キー筐体の、第一面とは反対の第二面にダイヤルキーが配されており、ディスプレイ筐体が開かれたときに、ディスプレイ筐体の回転領域を制限する面が、キー筐体に設けられていることを特徴とする。
また、本発明の他の態様は、ディスプレイを備えるディスプレイ筐体と、キーボードキー及びダイヤルキーを備えるキー筐体と、ディスプレイ筐体とキー筐体とを、スライド可能且つ折り畳み可能に連結するヒンジと、を有する携帯端末装置において、該携帯端末装置が開かれた状態でディスプレイを見られる側に向くキー筐体の第一面にキーボードキーが配され、該キー筐体の、第一面とは反対の第二面にダイヤルキーが配されており、ディスプレイ筐体を開いたときに、キー筐体の第二面からヒンジが突出していることを特徴とする。
【発明の効果】
【００１７】
本発明によれば、筐体同士がスライド可能且つ折り畳み可能な携帯端末装置において、一つのディスプレイで、ダイヤルキーを用いた通話及び電子メールの操作と、キーボードキーを用いたインターネットサイトの閲覧及び検索の操作とが可能になる。
【図面の簡単な説明】
【００１８】
【図１】本発明の実施形態における携帯端末装置の六面図である。
【図２】本発明の実施形態における携帯端末装置を折り畳んだときの六面図である。
【図３】本発明の実施形態における携帯端末装置を折り畳んだときの斜視図である。
【図４】本発明の実施形態における携帯端末装置をスライド移動させたときの六面図である。
【図５】本発明の実施形態における携帯端末装置をスライド移動させたときの斜視図である。
【図６】本発明の実施形態における携帯端末装置を１８０度以上開いたときの六面図である。
【図７】本発明の実施形態における携帯端末装置を１８０度以上開いたときの斜視図である。
【図８】特許文献１で開示されている携帯端末装置の斜視図である。
【図９】特許文献２で従来の携帯端末装置の斜視図である。
【発明を実施するための形態】
【００１９】
本発明を実施するための形態について図面を参照して詳細に説明する。
【００２０】
図１（ａ）から（ｆ）は、本発明の実施例における携帯端末装置１の正面図、背面図、左側面図、右側面図、平面図、底面図を示す六面図である。携帯端末装置１は、ディスプレイ５を有するディスプレイ筐体２と、文字入力などの操作キーを有するキー筐体３とで構成されている。また、ディスプレイ筐体２とキー筐体３とを折り畳み可能に連結するヒンジ４が設けられている。
【００２１】
図２（ａ）から（ｆ）は、ディスプレイ筐体２が折り畳まれている（閉じられている）状態の携帯端末装置１を示す六面図である。図３（ａ）は、折り畳まれている携帯端末装置１をディスプレイ筐体２からキー筐体３へ向かって見たときの斜視図であり、図３（ｂ）は、折り畳まれている携帯端末装置１をキー筐体３からディスプレイ筐体２へ向かって見たときの斜視図である。
【００２２】
また、ヒンジ４は、ディスプレイ筐体２を、ヒンジ４を支点に回転させるだけではなく、ヒンジ４に沿ってディスプレイ筐体２をスライド可能な構造を有している。したがって、携帯端末装置１は、スライド方式と折り畳み方式とを組み合わせたものである。図４（ａ）から（ｆ）は、ディスプレイ筐体２がスライドされている状態の携帯端末装置１を示す六面図である。図５（ａ）は、ディスプレイ筐体２がスライドされている形態端末装置１を、ディスプレイ筐体２からキー筐体３へ向かって見たときの斜視図であり、図５（ｂ）は、キー筐体３からディスプレイ筐体２に向かって見たときの斜視図である。
【００２３】
図６（ａ）から（ｆ）は、ディスプレイ筐体２を折り畳んでいる状態から１８０度以上回転させた状態の携帯端末装置１の六面図である。図７（ａ）は、図６で示す携帯端末装置１を、キー筐体３からディスプレイ筐体２に向かって見たときの斜視図であり、図７（ｂ）は図７（ａ）の反対の方向から見たときの斜視図である。
【００２４】
ヒンジ４は、ディスプレイ筐体２とキー筐体３とを重ね合わせたときの厚さと同じ程度の厚さで形成されている。したがって、ディスプレイ筐体２を回転させたときには、キー筐体３の、ディスプレイ筐体に接していた面からヒンジ４は突出する。携帯端末装置１を置く際、ヒンジ４が段差となって置かれるため、キー筐体３の面が直接地面等に触れず、傷つけられることを防止できる（図７）。
【００２５】
ここで、ディスプレイ筐体２の、スライド移動と回転移動との範囲について説明する。
【００２６】
携帯端末装置１は、ディスプレイ筐体２とキー筐体３とが相対している状態、すなわち、図２や図３で示すように携帯端末装置１が折り畳まれているときのみ、ディスプレイ筐体２がスライド移動できる構造を有している。図６や図７で示すような、ディスプレイ筐体２が開かれている状態では、ディスプレイ筐体２はスライド移動しない。このスライド移動を制限する構造は、ディスプレイ筐体２とヒンジ４の連結部にスライドを抑止するリブを設けることによって実現される。ディスプレイ筐体２が開く動作に入ることで、リブも同じ方向へ回転し、スライド方向への動作に制限がかけられる。
【００２７】
また、ディスプレイ筐体２のスライド移動は、携帯端末装置１が折り畳まれている位置からヒンジ４に沿った一方向にのみ可能となっている。なお、本書の説明において、ディスプレイ筐体２が折り畳まれている位置からスライド移動する方向を上側とし、その逆の方向を下側とする。
【００２８】
さらに、スライド移動はディスプレイ筐体２がキー筐体３に接する範囲でのみ可能である。すなわち、ディスプレイ筐体２とキー筐体３とが完全に分離されるまでスライド移動せず、その途中でスライド動作が抑止される構造をヒンジ４は有している。
【００２９】
携帯端末装置１を開く動作は、ディスプレイ筐体２とキー筐体３とが重なり合っているときのみ可能となっている。すなわち、ディスプレイ筐体２がスライドしている状態では、ディスプレイ筐体２はヒンジ４を支点に開かれない。この回転移動を制限する構造は、ディスプレイ筐体２に固定具を設けておき、キー筐体３に固定具受けを具備することによって実現される。ディスプレイ筐体２がスライドを開始することによって、固定具がキー筐体３の固定具受けに移動し、ディスプレイ筐体２のヒンジ４を支点とする回転移動が抑止される。
【００３０】
固定具及び固定具受けは、ディスプレイ筐体２とキー筐体３との接触する面の一部に設けても良いが、外観を高めるため、各々の筐体の内部に設けてもよい。筐体の内部に設けるときには、キー筐体３の内部に固定具と固定具受けを設けることになるが、固定具がディスプレイ筐体２のスライド移動に対応するよう、固定具を磁石等で構成し、ディスプレイ筐体２の内部にも固定具を移動させる磁石を設けておく。
【００３１】
なお、固定具受けがディスプレイ筐体２の内部に設けられ、固定具がキー筐体３の内部に設けられてもよい。
【００３２】
また、ディスプレイ筐体２とキー筐体３とは３６０度回転可能なヒンジによって接続されているため、携帯端末装置１が折り畳まれている第一状態と、第一状態からディスプレイ筐体２を３６０度回転させた第二状態とにすることが可能である。本発明の形態では、ディスプレイ筐体２の開動作は、図７で示すように、携帯端末装置１が閉じている状態から３６０度回転せずに、その途中で止められる構造を設けている。ディスプレイ筐体２の回転領域を制限する構造は、図１で示すように、キー筐体３とヒンジ４との接続部に回転受け１１を設けることによって実現される。
【００３３】
回転受け１１は、ヒンジ４とキー筐体３との間に隙間を形成する方法でもよい。また、キー筐体３に、突起を設けることによっても可能である。ヒンジ４とディスプレイ筐体２の連結部がその突起に突き当たることによって、ディスプレイ筐体２の回転移動が止められる。
【００３４】
さらに、ヒンジ４の内部には細線同軸ケーブル、あるいはＦＰＣ（Ｆｌｅｘｉｂｌｅ  Ｐｒｉｎｔｅｄ  Ｃｉｒｃｕｉｔｓ）が具備されており、ディスプレイ筐体２とキー筐体３とが電気的に接続されている。
【００３５】
次に、図１を参考に、ディスプレイ筐体２の構成について説明する。
【００３６】
携帯端末装置１が折り畳まれている状態において、携帯端末装置１の外面となるディスプレイ筐体２の第一面２Ａには、ディスプレイ５が具備されている。第一面２Ａにはダイヤルキー等が具備されていないため、第一面２Ａの殆どの領域をディスプレイ５とすることができ、面積の広いディスプレイを具備することができる。
【００３７】
また、第一面２Ａ内の上側には、通話時の音声を出力するスピーカー６が具備されており、第一面２Ａ内の下側には、ディスプレイ筐体２のスライド移動を補助するスライド補助具７が設けられている。スライド補助具７は、ディスプレイ筐体２を指でスライドさせることを想定し、使用者の指に合う溝状でもよく、あるいは使用者の指が滑らないようにするグリップ力のある部材によって構成される。
【００３８】
さらに、スライド補助具７を押すことで、スライドの固定具が外れる機構を設けることによって、不要時のスライド動作を防ぐこともできる。例えば、スライド補助具７に加えられた力によって磁力が変化する磁石をディスプレイ筐体２に設けることによって可能となる。スライド補助具７が押されていないときは、磁力によってディスプレイ筐体２とキー筐体３とが固定される。スライド補助具７が押されたときは、磁力が弱まり、ディスプレイ筐体２とキー筐体３との固定が解除され、ディスプレイ筐体２はスライド移動可能となる。
【００３９】
続いて、図１を参考に、キー筐体３の構成について説明する。
【００４０】
携帯端末装置１が折り畳まれている状態において、携帯端末装置１の外面となるキー筐体３の第一面３Ａには、ブラウザ用途で使用するための煩雑な入力も可能なキーボードキー１１が具備されている。したがって、携帯端末装置を開いた状態では、ディスプレイ５が見られると同時にキーボードキー１１も見られる構造となっている。
【００４１】
また、キー筐体３の、第一面３Ａとは反対の第二面３Ｂには、ディスプレイ筐体２がスライドすることによって露出される露出面１３と、ディスプレイ筐体２が最大限スライドしてもディスプレイ筐体２に覆われる被覆面１４とがある。露出面１３には、通話や電子メールで使用するための簡易文字入力が可能なダイヤルキー８が具備されており、露出面１３内の下側には、通話時の音声を集音するマイク１０が具備されている。また、被覆面１４には、携帯端末装置１に電力を供給する電池格納部材９が具備されている。
【００４２】
通話や電子メールを行うときには、ディスプレイ筐体２をスライド移動し、ダイヤルキー８を露出させ、入力操作を行う。通話時には、ディスプレイ筐体２に具備されたマイク１０とキー筐体３に具備されたスピーカー６との距離が離れ、マイク１０が使用者の口元に、スピーカー６が使用者の耳元に近づけられるため、利便性が高められる。
【００４３】
また、キー筐体の第２面３Ｂのダイヤルキー８の配置領域以外に配されている電池格納部材９は、ディスプレイ筐体２がスライドしている状態ではディスプレイ筐体２によって覆われている。したがって、スライド状態で使用する通話や電子メールの操作の最中に携帯端末装置１が落下し、衝撃が加えられ電池カバーが外れて電源が落ちるというようなことを抑制することができる。
【００４４】
従来の携帯端末装置では、電池格納部材９がキー筐体３の第一面３Ａに相当する面に具備されていたため、第一面３Ａにはキーボードキーのような広範囲を必要とする装置を設けることができなかった。本発明の実施形態では、電池格納部材９をキー筐体３の第一面３Ｂに設けているため、第一面３Ａにキーボードキー１１を具備することが可能となっている。キー筐体３の第一面３Ａに設ける装置として、キーボードキーだけでなく、タッチパネル、カメラ、サブディスプレイ等を併用することも出来る。また、イルミネーション等の加飾表現に利用することも可能である。
【００４５】
続いて、本発明の実施形態における携帯端末装置１の操作について説明する。
【００４６】
携帯端末装置１を用いて通話や電子メールをするときには、図４や図５で示すように、キー筐体３からディスプレイ筐体２をヒンジ４に沿ってスライドさせ、露出されたダイヤルキー８を用いて電話番号や電子メールなどの簡単な入力を行う。また、ディスプレイ筐体２のスライド移動によって、スピーカー６とマイク１０との距離が長くなり、マイク１０が使用者の口元に、スピーカー６が使用者の耳元に近づけられるため、利便性が高められる。
【００４７】
また、ブラウザ用途として使用するときには、図６や図７に示すように、携帯端末装置１を折り畳んだ状態から、ヒンジ４を支点にディスプレイ筐体２を１８０度以上回転させる。ディスプレイ筐体２を回転させることによって、使用者は、第一面３Ａに具備されているキーボードキー１１と、第一面２Ａに具備されているディスプレイ５との両方を見ることができる。したがって、キーボードキー１１によって煩雑な入力も可能になるため、ブラウザ用途での利便性を高めることができる。特に、第一面３Ａにタッチパネルを設けることにより、パソコン操作時に用いられるマウスを扱うように携帯端末装置１を操作することが可能となるため、利便性を高めることが出来る。
【００４８】
以上のように、本発明における実施形態を用いることにより、広い面積のディスプレイを設けることが出来、且つそのディスプレイ１つでダイヤルキー及びキーボードキーが操作可能となる。
【符号の説明】
【００４９】
１      携帯端末装置
２      ディスプレイ筐体
３      キー筐体
４      ヒンジ
５      ディスプレイ
６      スピーカー
７      スライド補助具
８      ダイヤルキー
９      電池格納部材
１０    マイク
１１    キーボードキー
１２    回転受け
１３    露出面
１４    被覆面
【図１】
0005428718.tif 000002
【図２】
0005428718.tif 000003
【図３】
0005428718.tif 000004
【図４】
0005428718.tif 000005
【図５】
0005428718.tif 000006
【図６】
0005428718.tif 000007
【図７】
0005428718.tif 000008
【図８】
0005428718.tif 000009
【図９】
0005428718.tif 000010